(57)【要約】【課題】複数のタイルと、これらのタイルを壁面に磁力吸着させるマグネットシートとからなるタイルユニットにおいて、より安価なタイルユニットを提供する。【解決手段】樹脂ネット２０と、この樹脂ネット２０のおもて側に配置される複数個のタイル３０と、樹脂ネット２０の裏側に配置されるマグネットシート４０と、からなり、このタイルユニット１０は、複数個のタイル３０が樹脂ネット２０を介してマグネットシート４０に接着固定されている。【効果】１枚のマグネットシートに樹脂ネットを介して複数個のタイルを接着固定することができ、１個のタイルに１個のマグネットシートを接着固定する場合に比較して、本考案によれば、マグネットシートの取付費用が低減でき、安価なタイルユニットが提供される。【選択図】図１
0003211008.tif 000002
【実用新案登録請求の範囲】
【請求項１】
樹脂ネットと、この樹脂ネットのおもて側に配置される複数個のタイルと、前記樹脂ネットの裏側に配置されるマグネットシートと、からなるタイルユニットであって、
前記複数個のタイルが前記樹脂ネットを介して前記マグネットシートに接着固定されていることを特徴とするタイルユニット。
【請求項２】
樹脂ネットと、この樹脂ネットのおもて側に配置される複数個のタイルと、前記樹脂ネットの裏側に配置されるケースと、からなるタイルユニットであって、
前記複数個のタイルが前記樹脂ネットに接着固定されていることを特徴とするタイルユニット。
【請求項３】
前記タイルは、ガラス、天然石、陶器、樹脂に塗装を施した物の何れかであることを特徴とする請求項１又は請求項２記載のタイルユニット。
【請求項４】
前記複数個のタイルは、隣り合うタイル間に目地代が設けられ、
前記タイルは、台形断面を呈し、前記樹脂ネットに接する裏面がおもて面よりも小面積であることを特徴とする請求項１〜３のいずれか１項記載のタイルユニット。
【考案の詳細な説明】
【技術分野】
【０００１】
本考案は、複数個のタイルを一括して壁面等に取付けることができるタイルユニットに関する。
【背景技術】
【０００２】
磁石を用いてタイルを壁面等に取付けることができる技術が知られている（例えば、特許文献１（図５）参照）。
【０００３】
特許文献１のタイルは、金属薄板の成形体と、この成形体の裏面に組合わされた磁性体（磁性板）とからなる。
裏面の磁性体により、タイルを下地用の鉄板に吸着固定でき、タイルの取付け及び取替えが容易となる。また、金属薄板の成形体により質量感のあるタイル面が提供される。
【０００４】
特許文献１には、タイルの用途が明示されていないが、例えば社名を記したネームプレートや、住居の表札に供されると思われる。これらの用途であれば、タイルの縦（又は横）寸法は、一般に５０〜５００ｍｍである。
【０００５】
ところで、タイルにはモザイク・タイルという分野がある。モザイク・タイルは、数ｍｍ〜数十ｍｍ角の小タイルを多数個並べることにより意匠性が発揮されるタイルユニットである。
【０００６】
モザイク・タイルに特許文献１の技術を適用すると、次に述べる問題点が生じる。
モザイク・タイルを構成する小タイルの各々に磁性体を設けるため、磁性体を小タイルの数だけ準備する必要があり、磁性体の取付け回数が増え、取付け費用が嵩む。その上、磁性体の寸法が小さいため、磁性体の取付けが面倒であり、取付け費用が更に嵩む。結果、モザイク・タイルは高価なものとなる。
【０００７】
高価なモザイク・タイルであれば、用途や需要が限定される。
モザイク・タイルの普及促進を考えると、特許文献１に代わる技術が必要となる。
【先行技術文献】
【特許文献】
【０００８】
【特許文献１】特開平９−１１１９９７号公報
【考案の概要】
【考案が解決しようとする課題】
【０００９】
本考案は、複数のタイルを一括して壁面等に取付けるタイルユニットにおいて、より安価なタイルユニットを提供することを課題とする。
【課題を解決するための手段】
【００１０】
「表面」は、「ひょうめん」と「おもてめん」との二通りに読まれる。読みを特定するため、本書では、「おもて面」と記載する。
【００１１】
請求項１に係る考案は、樹脂ネットと、この樹脂ネットのおもて側に配置される複数個のタイルと、前記樹脂ネットの裏側に配置されるマグネットシートと、からなるタイルユニットであって、
前記複数個のタイルが前記樹脂ネットを介して前記マグネットシートに接着固定されていることを特徴とする。
【００１２】
請求項２に係る考案は、樹脂ネットと、この樹脂ネットのおもて側に配置される複数個のタイルと、前記樹脂ネットの裏側に配置されるケースと、からなるタイルユニットであって、
前記複数個のタイルが前記樹脂ネットに接着固定されていることを特徴とする。
【００１３】
請求項３に係る考案では、タイルは、ガラス、天然石、陶器、樹脂に塗装を施した物の何れかであることを特徴とする。
【００１４】
請求項４に係る考案では、複数個のタイルは、隣り合うタイル間に目地代が設けられ、タイルは、台形断面を呈し、樹脂ネットに接する裏面がおもて面よりも小面積であることを特徴とする。
【考案の効果】
【００１５】
仮に、マグネットシートに、複数個のタイルを直接接着した場合、複数個のタイルのおもて面が揃い過ぎて意匠的な面白さが損なわれることがある。
この点、請求項１に係る考案では、マグネットシートに樹脂ネットを介して複数個のタイルを接着固定した。樹脂ネットのエレメント（撚糸）の太さは部位によって僅かに異なる。するとタイルは、マグネットシートに対して僅かに傾く。結果、複数個のタイルは僅かに不揃いとなり、おもて面の反射が不揃いとなり、意匠的な面白さが発揮される。
【００１６】
１枚の樹脂ネットのおもて側に複数個のタイルを予め接着固定し、この状態から、樹脂ネットの裏側に１枚のマグネットシートを接着することができる。
すなわち、１枚のマグネットシートに樹脂ネットを介して複数個のタイルを接着固定することができ、１個のタイルに１個のマグネットシートを接着固定する場合に比較して、本考案によれば、マグネットシートの取付け費用が低減でき、安価なタイルユニットが提供される。意匠性に富むタイルユニットを安価で提供することにより、タイルユニットの普及を促すことができる。
【００１７】
また、仮にシートに、複数個のタイルを直接接着した場合、複数個のタイルのおもて面が揃い過ぎて意匠的な面白さが損なわれることがある。
この点、請求項２に係る考案では、樹脂ネットに複数個のタイルを接着固定したものを、ケースに納めた。樹脂ネットのエレメント（撚糸）の太さは部位によって僅かに異なる。するとタイルは、僅かに傾く。結果、複数個のタイルは僅かに不揃いとなり、おもて面の反射が不揃いとなり、意匠的な面白さが発揮される。
【００１８】
１枚の樹脂ネットのおもて側に複数個のタイルを予め接着固定し、この状態で１個のケースに収納する。
複数個のタイルを一括して１個のケースに収納できるため、安価なタイルユニットが提供される。意匠性に富むタイルユニットを安価で提供することにより、タイルユニットの普及を促すことができる。
【００１９】
タイルに、プラスチックや木や紙を含めてもよいが、プラスチックや木や紙は光沢の点で難がある。
この点、請求項３に係る考案では、タイルは、ガラス、天然石、陶器、樹脂に塗装を施した物の何れかである。ガラス、天然石、陶器、樹脂に塗装を施した物は何れも光沢が出やすく、高級感が醸し出される。
【００２０】
請求項４に係る考案では、複数個のタイルは、隣り合うタイル間に目地代が設けられる。この場合に、外光が目地代を通ってタイルの側面に当たり、タイルの側面が輝くことがある。この場合、反射光が目立って意匠性が損なわれる心配がある。
請求項４では、タイルは、台形断面を呈し、樹脂ネットに接する裏面がおもて面よりも小面積である。裏面とおもて面との間の側面が傾斜しており、側面に外光が当たりにくくなる。よって、タイルのおもて面の意匠性が損なわれる心配はない。
【図面の簡単な説明】
【００２１】
【図１】本考案に係るタイルユニットの分解図である。
【図２】タイルの詳細図である。
【図３】樹脂ネットの詳細図である。
【図４】タイルユニットの施工手順を説明する図である。
【図５】タイルユニットの施工例を示す斜視図である。
【図６】タイルユニットの変更例を示す図である。
【考案を実施するための形態】
【００２２】
本考案の実施の形態を添付図に基づいて以下に説明する。
【実施例】
【００２３】
図１で本考案に係るタイルユニット１０の構成を説明する。
タイルユニット１０は、中央の樹脂ネット２０と、この樹脂ネット２０のおもて側に配置される複数個（この例では８×８＝６４個）のタイル３０と、樹脂ネット２０の裏側に配置される１枚のマグネットシート４０とからなる。
【００２４】
マグネットシート４０は、０．４〜３．０ｍｍ厚さで、横寸法がＡで縦寸法がＢである矩形シートである。好ましくは、樹脂ネット２０と接する面を「白色」や「シルバー色」とする。壁面（図４、符号５０）側の面は、色は自由であって、例えば黒や褐色である。
【００２５】
Ａは５０〜１０００ｍｍ、Ｂも５０〜１０００ｍｍの範囲から選択される。基本的にＡ＝Ｂとするが、ＡがＢと異なっても良い。
【００２６】
樹脂ネット２０は、微小径の樹脂フィラメントを撚って得た撚糸２１を縦横に配置してなる格子網が好適である。撚糸２１の径は０．５〜１．０ｍｍである。網目寸法は、タイル３０の縦（又は横）寸法より小さければよく、例えば５ｍｍである。
樹脂ネット２０は、白色であって、マグネットシート４０のおもて面４１が白色やシルバー色であれば、完成品において樹脂ネット２０が目立たなくなる。
【００２７】
樹脂ネット２０を、天然撚糸によるネットや紙紐によるネットに変更することは可能であるが、天然撚糸や紙紐は、吸水による腐食が心配され、寿命の点で難がある。この点、樹脂フィラメントであれば、吸水腐食の心配が無く、寿命が極めて長くなり、好ましい。
【００２８】
図２に基づいて、タイル３０の詳細を説明する。
図２（ａ）に示すように、タイル３０は、長方形、円形、楕円、長円、菱形であってもよいが、好ましくは正方形の板とする。一辺の大きさは３〜３０ｍｍの範囲であれば任意であるが、５ｍｍ、１０ｍｍ、２０ｍｍが推奨される。
【００２９】
タイル３０の材質は、ガラス、天然石、陶器、樹脂、人造石、木、紙、金属又はこれらを組み合わせた物の何れであっても良い。また、例えば、樹脂貴材に金属片を混ぜた塗料を塗布しても良い。
中でも、光沢性に優れるガラス、天然石、陶器、樹脂に塗装を施した物が望ましい。ガラス、天然石、陶器、樹脂に塗装を施した物の中では、造形が容易なガラスが望ましい。  ガラスであれば、おもて面３１に筋模様（波模様を含む。）３２などの模様を、ガラス細工の一環として、容易に付けることができる。
【００３０】
タイル３０は、長方形の板や直角三角形の板であってもよい。絵画をモザイク画としてタイル３０で表現するときに、非正方形のタイル３０が役立つからである。
【００３１】
図２（ｂ）は、図２（ａ）のｂ−ｂ線断面図であり、タイル３０は、好ましくは、３．５ｍｍ程度の厚さで且つ台形断面を呈し、樹脂ネット２０に接する裏面３３がおもて面３１よりも小面積になるようにする。
その理由の一つを図２（ｃ）に基づいて説明する。
【００３２】
図２（ｃ）に示すように、タイル３０とタイル３０の間に目地代３４を設けると、外光３５が目地代３４を通って、タイル３０の側面３６に当たることがある。側面３６が外光３５で輝くと、おもて面３１の意匠性が損なわれることがある。
【００３３】
対策として、タイル３０を台形断面とし、且つ裏面３３がおもて面３１よりも小面積となるようにすると、側面３６が傾斜し、側面３６に外光３５が当たりにくくなる。外光３５が側面３６に当たったとしても反射光が外へ出る心配がない。結果、外光３５で側面３６が輝く心配はない。結果、タイル３０のおもて面３１を意匠面とすることができる。
【００３４】
なお、目地代３４に白色又は透明の目地材を詰める（充填する）ことは差し支えないが、本例では、目地代３４に何も充填していない。充填しないとタイル３０の個々の立体感が高まる。一方、目地代３４に目地材を詰めると、目地代３４にごみが溜まらないため、清掃が容易になる。よって、目地代３４に目地材を充填するか否かは任意である。
【００３５】
図３に基づいて、樹脂ネット２０の詳細を説明する。
図３（ａ）に示すように、樹脂ネット２０は、好ましくは格子網である。ただし、樹脂ネット２０を亀甲網や菱形網にすることは妨げない。
図３（ｂ）は、図３（ａ）のｂ−ｂ線断面図であり、撚糸２１の径（太さ）は一様ではない。その上、撚糸２１は外力を受けると偏平化する。
【００３６】
図３（ｃ）にて、樹脂ネット２０のおもて面に複数個のタイル３０、３０を接着固定し、樹脂ネット２０の裏面にマグネットシート４０を接着固定する場合に、樹脂ネット２０は不揃いに圧縮される。すると、一方のタイル３０のおもて面３１がマグネットシート４０のおもて面４１に対してθ１だけ傾斜して取付けられる。また、他方のタイル３０のおもて面３１はマグネットシート４０のおもて面４１に対してθ２だけ傾斜して取付けられる。θ１とθ２は必然的に異なる。おもて面３１同士において反射角に差ができ、全体的に立体感が創出され、意匠性が高まる。
【００３７】
なお、図３（ｃ）において、樹脂ネット２０の裏面にマグネットシート４０を接着固定する接着剤の一部は、直接マグネットシート４０とタイル３０とを接着固定する役割を果たす。すなわち、本考案により、マグネットシート４０に樹脂ネット２０を介してタイル３０を接着固定する構造のタイルユニット１０が提供される。
【００３８】
また、樹脂ネット２０が、撚糸２１である場合、弾力性に富む。図３（ｃ）にて、仮に、外部の物がタイル３０のおもて面３１に当たった場合に、樹脂ネット２０が衝撃を吸収する。結果、物の接触によって、タイル３０が割れたり、傷が付いたりする心配は、少なくなる。
【００３９】
以上により、図４に示すようなタイルユニット１０が得られる。すなわち、タイルユニット１０は、複数個のタイル３０が樹脂ネット２０を介してマグネットシート４０に接着固定されている。
【００４０】
このような構造のタイルユニット１０を、壁面５０に取付ける施工手順を、次に説明する。
図４に示すように、好ましくは、壁面５０にマグネットペイント層５１を塗装形成する。マグネットペイントは、鉄粉の微粒子が適量含まれている塗料であり、複数回塗装することで、所定の厚さのマグネットペイント層５１を形成することができる。マグネットペイント層５１は、鉄系材料の薄板であってもよい。
【００４１】
マグネットペイント層５１にマグネットシート４０を磁力吸着させることで、壁面５０にタイルユニット１０を取付ける。
タイルがガラスや陶器や天然石である場合は、タイルユニット１０は重くなるが、マグネットシート４０は、タイルユニット１０の自重の数十倍程度の吸着力（保持力）を発生するため、タイルユニット１０が脱落する心配はない。大地震などでタイルユニット１０がずれたとしても、簡単に直せる。
【００４２】
この貼り付け作業は、タイル工以外の一般作業員（又は普通人）が実施できる。
また、従来の施工法のようにモルタルや接着剤を用いて、タイルを壁面５０に貼り付ける場合は、モルタルや接着剤の強度がでるまで養生期間を置く必要があるが、本考案では、その必要はない。
よって、貼り付けに必要な時間と費用を大幅に低減することができる。
【００４３】
タイルユニット１０の施工例を、図５に基づいて説明する。
図５に示すように、大理石カウンター５３の腰壁に、タイルユニット１０を貼り付けることが推奨される。本考案のタイルユニット１０は普通人でも交換が可能であるため、例えば季節毎に色や模様が異なるタイルユニット１０に交換することができる。
【００４４】
次に、変更例を、図６に基づいて説明する。
図６（ａ）に示すようにタイルユニット１０は、樹脂ネット２０と、この樹脂ネット２０のおもて側に配置される複数個のタイル３０と、樹脂ネット２０の裏側に配置されるケース６０とからなる。ケース６０は、樹脂又は金属製とし、開口端に内側に張り出す縁６１を一体的に備える。
【００４５】
複数個のタイル３０が樹脂ネット２０に接着固定されているものを、有底筒状のケース６０に納める。このとき、縁６１を弾性的に広げることで収納を可能にする。縁６１によりタイル３０及び樹脂ネット２０の抜け止めが図られる。
ケース６０が金属製である場合は、収納後に縁６１を曲げてもよい。
【００４６】
得られたタイルユニット１０は、コースターとして使用することができる。すなわち、タイル３０が上になるようにして、テーブル又はカウンタに載せたコースター（タイルユニット１０）に、高級なワイングラスを載せる。高級なワイングラスに相応しいコースターが提供される。また、縁６１が額縁の役割を果たすため、図６（ａ）に示すタイルユニット１０は、壁掛けアートや、写真立てで立てたアートとしても使える。
【００４７】
図６（ｂ）に示すようにタイルユニット１０は、樹脂ネット２０と、この樹脂ネット２０のおもて側に配置される複数個のタイル３０と、樹脂ネット２０の裏側に配置されるケース６０とからなる。
複数個のタイル３０が樹脂ネット２０に接着固定されているものを、有底筒状のケース６０に納めた。この場合は、ケース６０の底面に樹脂ネット２０を介して複数個のタイル３０を接着固定する。図６（ｂ）に示すタイルユニット１０は、コースターに好適である。
【００４８】
図６（ｃ）に示すようにタイルユニット１０は、樹脂ネット２０と、この樹脂ネット２０のおもて側に配置される複数個のタイル３０と、樹脂ネット２０の裏側に配置され少し大きめのケース６０とからなる。
複数個のタイル３０が樹脂ネット２０に接着固定されているものを、少し大きめのケース６０に納め、ケース６０の壁６２の内面に適当な色の縁取材６３を充填する。
縁取材６３が額縁の役割を果たすため、図６（ｃ）に示すタイルユニット１０は、壁掛けアートや、写真立てで立てたアートに好適である。コースターにも好適である。
【００４９】
図６（ａ）〜（ｃ）に示すタイルユニット１０は、何れも樹脂ネット２０を備えているため、隣り合うタイル３０のおもて面の傾斜が僅かに異なり、意匠性が高まる。樹脂ネット２０がクッション作用を発揮するため、タイル３０の傷付きなどが緩和される。
複数個のタイル３０が１個のケース６０に一括収納されるため、扱いやすいタイルユニットが１０が安価に提供される。
【００５０】
本考案のタイルユニット１０は、図１（ａ）に示すように、宝石を並べたような外観を呈し、高級感に富む。よって、高級なレストランのカウンターの腰壁や、上級のホテルや美術館のロビーの壁に嵌め込むことができる。また、トイレルームやパウダールームの壁の全部又は一部に本考案のタイルユニット１０を嵌め込むことができる。
【００５１】
さらには、タイルユニット１０は、異質材料、異なる色、異なる模様のタイル３０で構成することができ、タイルユニット１０をアート（美術品）仕様にして、壁等に掛けることができる。よって、タイルユニット１０の用途は限定されない。
【００５２】
また、請求項１、２においては、タイル３０は、台形断面の他、側面３６がおもて面３１に直交するものであってもよく、形状は限定されない。材質も任意である。
【００５３】
さらには、本考案のタイルユニット１０は、壁面５０に嵌めることを基本とするが、テーブルの上面や天井面や床面に嵌めることもできる。よって、取付け対象は任意である。
【産業上の利用可能性】
【００５４】
本考案は、壁面に貼り付けるタイルユニットに好適である。
【符号の説明】
【００５５】
１０…タイルユニット、２０…樹脂ネット、３０…タイル、３１…タイルのおもて面、３３…タイルの裏面、３４…目地代、３６…タイルの側面、４０…マグネットシート、６０…ケース。
【図１】
0003211008.tif 000003
【図２】
0003211008.tif 000004
【図３】
0003211008.tif 000005
【図４】
0003211008.tif 000006
【図５】
0003211008.tif 000007
【図６】
0003211008.tif 000008